(57)【特許請求の範囲】
【請求項１】
太陽電池パネルと、前記太陽電池パネルの縁部を保持する嵌合部を有する枠部材とを備え、前記太陽電池パネルの前記縁部と前記嵌合部とが接着部材によって接着固定された太陽電池モジュールであって、
前記嵌合部は、前記太陽電池パネルの裏面側の縁部を保持する下壁部と、前記太陽電池パネルの受光面側である表面側の縁部を保持する上壁部と、前記太陽電池パネルの端面を保持する奥壁部とからなり、
前記下壁部と対向する前記上壁部の下面には、前記上壁部の先端縁部から前記奥壁部方向寄りの位置に、前記太陽電池パネルの表面に当接する突起部が設けられ、
前記太陽電池パネルの前記表面と前記突起部と前記上壁部の前記突起部より前記先端縁部側の下面とで形成される隙間がオプション部材を支持する支持溝部とされていることを特徴とする太陽電池モジュール。
【請求項２】
請求項１に記載の太陽電池モジュールであって、
前記突起部は、前記先端縁部側の面が前記先端縁部に向かって前記上壁部の下面に漸次接近する傾斜面に形成されていることを特徴とする太陽電池モジュール。
【請求項３】
請求項１または請求項２に記載の太陽電池モジュールであって、
前記上壁部に対向する前記下壁部の上面には、前記接着部材を保持する溜まり凹部が設けられていることを特徴とする太陽電池モジュール。
【請求項４】
請求項１から請求項３までのいずれか一つに記載の太陽電池モジュールであって、
前記枠部材は、前記嵌合部の前記下壁部を上壁部として兼用する断面略矩形状の本体部を備えており、
前記下壁部の前記奥壁部側の縁部には、前記奥壁部の背面側に沿って上方に突出した凹溝部が設けられていることを特徴とする太陽電池モジュール。
【請求項５】
請求項１から請求項４までのいずれか一つに記載の太陽電池モジュールであって、
前記オプション部材が雪止め部材であることを特徴とする太陽電池モジュール。
【発明の詳細な説明】
【技術分野】
【０００１】
本発明は、太陽電池モジュールに関する。
【背景技術】
【０００２】
太陽電池パネルの縁部を枠部材の嵌合部に嵌合して保持する構造の太陽電池モジュールでは、太陽電池パネルの縁部と嵌合部との間に接着部材を塗布して接着する構造が主流となっている（例えば、特許文献１，２等参照）。
【０００３】
特許文献１には、略Ｌ字型断面形状を有する枠が太陽電池パネル本体を囲むように設けられており、略Ｌ字型断面形状の「Ｌ」字の横棒部分と、太陽電池パネル本体の基板の第２表面（受光面）とが接合部（接着剤）により結合された構造が開示されている（段落［００３６］、［００３７］、図２、図３等参照）。
【先行技術文献】
【特許文献】
【０００４】
【特許文献１】特開２００９−１７０８２６号公報
【発明の概要】
【発明が解決しようとする課題】
【０００５】
ところで、太陽電池モジュールでは、その表面の縁部にオプション部材を取り付けなければならない場合がある。例えば、比較的積雪の多い地域（例えば、３０〜４０cm程度の
積雪のある地域等）では、オプション部材として雪止め金具を取り付ける必要がある。
【０００６】
しかし、上記特許文献１記載のように、枠の横棒部分と、太陽電池パネル本体の基板の第２表面（受光面）とを接着剤により接着する構造では、枠の横棒部分と基板の第２表面（受光面）との間が密着しており、雪止め金具を差し込むような隙間がない。そのため、オプション部材を取り付けるために、別途、取り付け部材を用意しなければならないといった問題があった。
【０００７】
本発明はかかる問題点を解決すべく創案されたもので、その目的は、太陽電池パネルの縁部を枠部材の嵌合部に嵌合し、接着部材により接着する構造の太陽電池モジュールにおいて、オプション部材を直接取り付け可能とした太陽電池モジュールを提供することにある。
【課題を解決するための手段】
【０００８】
上記課題を解決するため、本発明の太陽電池モジュールは、太陽電池パネルと、前記太陽電池パネルの縁部を保持する嵌合部を有する枠部材とを備え、前記太陽電池パネルの前記縁部と前記嵌合部とが接着部材によって接着固定された太陽電池モジュールであって、前記嵌合部は、前記太陽電池パネルの裏面側の縁部を保持する下壁部と、前記太陽電池パネルの受光面側である表面側の縁部を保持する上壁部と、前記太陽電池パネルの端面を保持する奥壁部とからなり、前記下壁部と対向する前記上壁部の下面には、前記上壁部の先端縁部から前記奥壁部方向に所定距離だけ離れた位置に、前記太陽電池パネルの表面に当接する突起部が設けられ、前記太陽電池パネルの前記表面と前記突起部と前記上壁部の前記突起部より前記先端縁部側の下面とで形成される隙間がオプション部材を支持する支持溝部とされていることを特徴としている。
【０００９】
また、本発明の太陽電池モジュールによれば、前記突起部は、前記先端縁部側の面が前記先端縁部に向かって前記上壁部の下面に漸次接近する傾斜面に形成された構成としてもよい。
【００１０】
また、本発明の太陽電池モジュールによれば、前記上壁部に対向する前記下壁部の上面には、前記接着部材を保持する溜まり凹部が設けられた構成としてもよい。
【００１１】
また、本発明の太陽電池モジュールによれば、前記枠部材は、前記嵌合部の前記下壁部を上壁部として兼用する断面略矩形状の本体部を備えており、前記下壁部の前記奥壁部側の縁部には、前記奥壁部の背面側に沿って上方に突出した凹溝部が設けられた構成としてもよい。
【００１２】
また、本発明の太陽電池モジュールによれば、前記オプション部材として雪止め部材を例示することができる。
【発明の効果】
【００１３】
本発明は上記のように構成したので、太陽電池モジュールの施工後であっても、太陽電池モジュールにオプション部材を簡単に取り付けることができる。従って、オプション部材を取り付けるために、別途、取り付け部材を用意する必要がない。
【図面の簡単な説明】
【００１４】
【図１】本発明の太陽電池モジュールを適用した太陽光発電システムを示す斜視図である。
【図２】実施形態１に係る太陽電池モジュールを示す斜視図である。
【図３】実施形態１に係る太陽電池モジュールの枠体を拡大して示す断面図である。
【図４】実施形態１に係る太陽電池モジュールに適用されるオプション部材の一例である雪止め具を示す斜視図である。
【図５】実施形態１に係る太陽電池モジュールに適用されるオプション部材の一例である雪止め具を示す側面図である。
【図６Ａ】雪止め具を太陽電池モジュールの枠体に取り付けるための手順を示す説明図である。
【図６Ｂ】雪止め具を太陽電池モジュールの枠体に取り付けるための手順を示す説明図である。
【図６Ｃ】雪止め具を太陽電池モジュールの枠体に取り付けるための手順を示す説明図である。
【図７】実施形態２に係る太陽電池モジュールの枠体を拡大して示す断面図である。
【図８】実施形態２に係る太陽電池モジュールにおいて、太陽電池パネルを枠体に挿入する様子を拡大して示す断面図である。
【図９】実施形態３に係る太陽電池モジュールの枠体を拡大して示す断面図である。
【図１０】実施形態４に係る太陽電池モジュールの枠体を拡大して示す断面図である。
【図１１】実施形態４に係る太陽電池モジュールにおいて、図２のＡ部分を拡大して示す平面図である。
【図１２】実施形態４に係る太陽電池モジュールにおいて、図２のＡ部分の分解斜視図である。
【図１３】図１１のＤ−Ｄ線断面図である。
【図１４】実施形態５に係る太陽電池モジュールの枠体に取り付けられるサポート部材の構成を示す端面図である。
【図１５】実施形態５に係る太陽電池モジュールの枠体に取り付けられるサポート部材の構成を示す斜視図である。
【図１６】サポート部材を太陽電池モジュールの裏面側に取り付ける状態を示す斜視図である。
【図１７】サポート部材を太陽電池モジュールの裏面側に取り付ける状態を一部拡大して示す斜視図である。
【図１８】サポート部材を太陽電池モジュールの裏面側に取り付けた状態の断面図である。
【発明を実施するための形態】
【００１５】
以下、本発明の実施の形態について、図面を参照して説明する。
【００１６】
図１は、本発明の太陽電池モジュールの一実施形態を適用した太陽光発電システムを示す斜視図である。この太陽光発電システム１は、屋根２上に４本の縦桟３を離間させて相互に平行に固定配置し、各縦桟３上に、３本の横桟４を一定の間隔を開けて相互に平行に固定配置し、この３本の横桟４間に４枚の太陽電池モジュール５を架け渡して固定したものである。
【００１７】
各縦桟３の長手方向が屋根２の水流れ方向Ｘに一致し、各横桟４の長手方向が水流れ方向Ｘと直交する方向に一致している。水流れ方向Ｘの下流側から上流側へと１列目、２列目、３列目の横桟４が並び、１列目と２列目の各横桟４間に１列目の２枚の太陽電池モジュール５が架け渡されて固定され、２列目と３列目の各横桟４間に２列目の２枚の太陽電池モジュール５が架け渡されて固定されている。また、各太陽電池モジュール５は、水流れ方向Ｘに沿って傾斜している。
【００１８】
本実施形態では、後述するオプション部材の一例として雪止め具６を示しており、この雪止め具６は、１列目の各太陽電池モジュール５の枠体の複数箇所に取り付けられている。これらの雪止め具６は、太陽電池モジュール５の上面（受光面）に対して垂直上方向に突出する壁部を有しており、各雪止め具６の壁部により太陽電池モジュール５上に降り積もった雪の落下を防止又は抑制する。
【００１９】
なお、屋根２に対する縦桟３の固定は、周知の如何なる方法もしくは構造によってなされてもよい。例えば、屋根２の瓦を貫通して垂木に接続された金具により縦桟３を固定することができる。また、縦桟３に対する横桟４の固定も、周知の如何なる方法もしくは構造によってなすことができる。例えば、ボルト及びナットにより縦桟３と横桟４を接続固定することができる。なお、太陽電池モジュール５に対する雪止め具６の取り付け構造については後述する。
【００２０】
＜太陽電池モジュールの実施形態１＞
図２は、実施形態１に係る太陽電池モジュール５を示す斜視図である。
【００２１】
図２に示すように太陽電池モジュール５は、太陽光を光電変換する太陽電池パネル７と、この太陽電池パネル７の縁部に嵌合して保持する枠体８とで構成されている。
【００２２】
太陽電池パネル７は、例えば、結晶シリコンのウエハを用いて形成された太陽電池セルを、ガラス板と裏面保護フィルムとで挟み込んで封止したものである。あるいは、２枚のガラス板の間に太陽電池セルを挟み込んで封止したものでもよい。
【００２３】
図３は、実施形態１に係る太陽電池モジュール５の枠体８を拡大して示す断面図である。
【００２４】
枠体８は、例えばアルミニウムまたはアルミニウム合金製の部材であり、押出成形により形成され、長手方向において同じ断面形状を有する長尺部材とされている。この枠体８は、断面略矩形状の本体部２０と、本体部２０上に一体に設けられた断面コ字状の嵌合部３０とを備えている。
【００２５】
本体部２０は、底壁部２１と、底壁部２１と対向する上壁部２２と、太陽電池パネル７の下面側に位置する内壁部２３と、太陽電池パネル７の端面側に位置する外壁部２４と、内壁部２３の下部から太陽電池パネル７の下面７ｂと平行に延設された底板部２５とを備えている。
【００２６】
嵌合部３０は、太陽電池パネル７の下面７ｂ側の縁部７ｂ１を保持する下壁部３１と、太陽電池パネル７の受光面側である表面７ａ側の縁部７ａ１を保持する上壁部３２と、太陽電池パネル７の端面７ｃを保持する奥壁部３３とを備えており、下壁部３１と上壁部３２との間は、奥壁部３３に向かう挿入溝３４に形成され、この挿入溝３４に太陽電池パネル７の縁部が挿入されて支持されている。挿入溝３４には接着部材９が充填されており、太陽電池パネル７の縁部と、嵌合部３０の下壁部３１、上壁部３２及び奥壁部３３との間が接着部材９によって接着固定されている。なお、嵌合部３０の下壁部３１は、本体部２０の上壁部２２を兼ねている。
【００２７】
また、嵌合部３０の上壁部３２は、奥壁部３３の端部がさらに枠体８の外側に向かって延設されて係止リブ片３５が形成されている。また、奥壁部３３の下方には、枠体８の外側に向かって突出する略Ｌ字状の係止突起部３６が形成され、係止突起部３６の外側端部が上方に屈曲している。
【００２８】
このような構成の枠体８において、実施形態１では、下壁部３１と対向する上壁部３２の下面には、上壁部３２の先端縁部から奥壁部３３方向寄りの位置に、太陽電池パネル７の表面７ａに当接する突起部３７が設けられている。そして、太陽電池パネル７の表面７ａと、突起部３７と、突起部３７より先端縁部側の上壁部３２の下面３２ａとで形成される隙間Ｓが、後述するオプション部材の一例である雪止め具６を支持する支持溝部とされている。
【００２９】
この構成によれば、太陽電池モジュール５にオプション部材（雪止め具６）を取り付けるために、別途、取り付け部材を用意する必要がない。また、突起部３７を設けることで、上壁部３２の下面３２ａと太陽電池パネル７の表面７ａとの間に隙間Ｓを作ることができるので、突起部３７より奥壁部３３側の隙間Ｓａ部分に接着部材９が十分に充填されて、接着強度を向上させることができる。また、接着部材９が太陽電池パネル７の表面７ａを覆って、太陽電池モジュール５の変換効率が低下すること、意匠性が低下することを防ぐことができる。
【００３０】
次に、オフション部材の一例である雪止め具６について説明する。
【００３１】
図４は、雪止め具６を底面側から見た斜視図、図５は、雪止め具６の側面図である。
【００３２】
この雪止め具６は、１枚の鋼板（板金）を切断及び折り曲げ加工して、メッキを施したものであり、図４及び図５に示すように、鋼板を折り返して二重にしてなる壁部６ａと、壁部６ａを形成する二重にされた鋼板の一方の下端６ｂで斜め略４５度に谷折りされた第１主板部６ｃと、第１主板部６ｃの下端６ｄでさらに略４５度に谷折りされた第２主板部６ｅと、壁部６ａを形成する二重にされた鋼板の他方の下端６ｆで斜め略４５度に谷折りされて第１主板部６ｃに添設された第３主板部６ｇと、第３主板部６ｇの下端６ｈで第１主板部６ｃと反対側に折り曲げられた略Ｌ字型の係合部６ｉと、第２主板部６ｅの一辺６ｊで折り戻されて、第２主板部６ｅの下面側に形成された爪部６ｋとを備えている。
【００３３】
壁部６ａは、１枚の板金を折り返して二重にしたものであり、その強度の向上が図られている。
【００３４】
第２主板部６ｅは、その一辺６ｄで谷側に折り曲げられ、さらに一辺６ｊでＶ字型（山型）に折り曲げられており、一辺６ｊよりも先端側が爪部６ｋとなり、この爪部６ｋが第２主板部６ｅの下面に対峙している。また、爪部６ｋの内側に三角形状の係合凹所６ｍが形成されている。
【００３５】
図４に示すように、爪部６ｋは、雪止め具６の長手方向に沿って３分割されており、爪部６ｋの間は、第２主板部６ｅの一辺６ｊから第１主板部６ｃの下端６ｄに向かって所定長さだけ切り欠かれた切欠き部６ｎが形成されている。また、係合部６ｉは、雪止め具６の長手方向の両側２箇所に設けられている。すなわち、係合部６ｉは、雪止め具６の長手方向の両側に２分割された形となっており、その間の第３主板部６ｇには係合部６ｉは形成されていない。また、係合部６ｉの横には、第３主板部６ｇの下端６ｈから壁部６ａの途中まで達するスリット部（切り込み部）６ｐが形成されている。
【００３６】
これら切欠き部６ｎやスリット部６ｐは、雪止め具６を枠体８に装着するとき、爪部６ｋや係合部６ｉが若干弾性変形して、枠体８にスムーズに装着できるように設けられている。ただし、装着後の強度は十分得られるように（すなわち、雪の重みで装着が外れないように）、その切り込み長さが決定されている。また、爪部６ｋに関しては、長手方向に沿って３分割されていることで、爪部６ｋを枠体８の支持溝部である隙間Ｓに係止するとき、３つ同時でなくても、例えば両端の爪部６ｋ，６ｋを個別に隙間Ｓに係止した後、最後に真ん中の爪部６ｋを隙間Ｓに係止する、といった具合に爪部６ｋを順番に係止していくことができる。これにより、爪部６ｋの係止作業が容易となる。
【００３７】
図６Ａ〜図６Ｃは、雪止め具６を太陽電池モジュール５の枠体８に取り付ける手順を示す説明図である。
【００３８】
まず、図６Ａに示すように、雪止め具６の第２主板部６ｅの先端側を若干浮かせるようにして、係合部６ｉを太陽電池モジュール５の枠体８の係止リブ片３５の下側に引っかけるように差し込む。すなわち、枠体８の係止リブ片３５を雪止め具６の第２主板部６ｅと係合部６ｉとの間の隙間に差し込むようにして、図６Ｂに示すように、雪止め具６の全体を矢印Ｂ方向に移動させる。
【００３９】
この移動により、係合部６ｉの内奥が係止リブ片３５の先端部に突き当たると、雪止め具６の爪部６ｋが枠体８の上壁部３２の先端部上に載置された状態となる。
【００４０】
この状態から、図６Ｃに示すように、雪止め具６の全体を矢印Ｃ方向に回動させると、係合部６ｉが係止リブ片３５によって下方に押し下げられるように（すなわち、下方に若干開くように）弾性変形し、この弾性に抗して、雪止め具６の爪部６ｋが枠体８の上壁部３２の先端部上を摺動し、先端部を乗り越えて先端部の下面側に回り込み、隙間Ｓに挿入係止される。このとき、弾性変形していた係合部６ｉが弾性復帰し、枠体８の上壁部３２の先端部と係止リブ片３５とが、雪止め具６の爪部６ｋと係合部６ｉとで弾性挟持される。すなわち、雪止め具６の第２主板部６ｅが枠体８の上壁部３２に密着した状態で保持される。これにより、雪止め具６の爪部６ｋと係合部６ｉとの間に枠体８の上壁部３２が挟み込まれ、雪止め具６が太陽電池モジュール５の枠体８に係止されて取り付けられる。この状態で、雪止め具６の壁部６ａが、太陽電池モジュール５の枠体８の上に突設される。
【００４１】
ここで、図６Ｃに示すように、雪止め具６が太陽電池モジュール５の枠体８に取り付けられた状態では、雪止め具６の爪部６ｋと係合部６ｉとの間が僅かに広がって、雪止め具６の弾性力により爪部６ｋと係合部６ｉとの間に枠体８の上壁部３２が挟み込まれるようになっている。すなわち、枠体８の上壁部３２を挟み込む前の爪部６ｋと係合部６ｉとの間の距離を、枠体８の上壁部３２を挟み込んだ後の爪部６ｋと係合部６ｉとの間の距離よりも若干短く設定している。つまり、係合部６ｉの弾性変形によって、爪部６ｋと係合部６ｉとの間が若干広がり、この間に枠体８の上壁部３２が挟み込まれるようになっている。これにより、図６Ｃにおいて、雪止め具６の屋根の傾斜方向のがたつきが防止される。この状態では、太陽電池モジュール５の上に雪が降り積もると、雪荷重を爪部６ｋが受け止め、また軒方向からの風圧による荷重を係合部６ｉが受け止めるので、雪止め具６が安定的に支持されて固定される。
【００４２】
このように雪止め具６の係合部６ｉを枠体８の係止リブ片３５に引っ掛けて雪止め具６を移動及び回動させるだけで、雪止め具６を枠体８に簡単に、かつ、がたつき無く取り付けることができる。
【００４３】
一方、枠体８に取り付けられた状態の雪止め具６を、図６Ｂに示す矢印Ｂ方向に若干押し込んでから、係止リブ片３５と係合部６ｉとの係合部分を支点として、図６Ｃに示す矢印Ｃ方向とは逆方向に回動させれば、雪止め具６を太陽電池モジュール５の枠体８から簡単に取り外すことができる。
【００４４】
このため、太陽電池モジュール５を設置してから、雪止め具６を後付けしたり、雪止め具６を取り外したり、あるいは雪止め具６の位置を変更したりすることができる。また、雪止め具６の着脱が容易であって後付けが可能であるため、雪止め具６を容易に増減することが可能である。
【００４５】
＜太陽電池モジュールの実施形態２＞
図７は、実施形態２に係る太陽電池モジュールの枠体を拡大して示す断面図である。
【００４６】
実施形態２では、枠体８の上壁部３２に形成された突起部３７の先端縁部側の面３７ａが、上壁部３２の先端縁部に向かって上壁部３２の下面３２ａに漸次接近する傾斜面に形成されている。
【００４７】
この構成によれば、図８に示すように、太陽電池パネル７の端部を枠体８の挿入溝３４に挿入嵌合するとき、傾斜面３７ａが太陽電池パネル７の端部を当接して案内するガイド面となり、太陽電池パネル７の端部を挿入溝３４内にスムーズに嵌め込むことができる。また、太陽電池パネル７の最表面にガラス板を用いた場合でも、ガラス板の角部に欠けが生じることを防ぐことができる。
【００４８】
＜太陽電池モジュールの実施形態３＞
図９は、実施形態３に係る太陽電池モジュールの枠体を拡大して示す断面図である。
【００４９】
実施形態３では、実施形態２に係る枠体８の構成に加え、上壁部３２に対向する下壁部３１の上面に、接着部材９を保持する溜まり凹部３１ａが設けられている。
【００５０】
この構成によれば、下壁部３２の上面と太陽電池パネル７の下面との間にも接着部材９を十分に充填させることができる。また、溜まり凹部３１ａを設けることで、嵌合部３０と太陽電池パネル７の端部との接着時に、接着部材９が嵌合部３０の挿入溝３４からはみ出すことを防止できる。
【００５１】
＜太陽電池モジュールの実施形態４＞
図１０は、実施形態４に係る太陽電池モジュールの枠体を拡大して示す断面図である。
【００５２】
実施形態４では、実施形態３に係る枠体８の構成に加え、下壁部３１の奥壁部３３側の縁部に、奥壁部３３の背面側に沿って上方に突出した凹溝部３１ｂが設けられている。
【００５３】
この構成によれば、太陽電池パネル７の一辺に嵌合される枠体８と、この一辺に直交する他辺に嵌合される枠体８との接合部に、両枠体８，８に跨がって本体部２０の内部空間を塞ぐようにＬ字アングル４１が挿入されている場合であっても、接合された両枠体８，８間が凹溝部３１ｂで連通しているので、この部分を通じて空気が移動できる。
【００５４】
図１１は、図２のＡ部分を拡大して示す平面図、図１２は、図２のＡ部分の分解斜視図、図１３は、図１１のＤ−Ｄ線断面図である。ただし、図１２では、一方の枠体（設置後に縦方向（傾斜方向）となる図中右側の枠体）８は、係止突起部３６が無い構造として図示している。
【００５５】
図１１乃至図１３に示すように、太陽電池パネル７の一辺に嵌合される枠体（例えば横枠）８と、この一辺に直交する他辺に嵌合される枠体（例えば縦枠）８との接合部８１には、両枠体８，８に跨がって各本体部２０，２０のリブ片２０ｂ，２０ｂより上の内部空間２０ａ，２０ａを塞ぐ（繋ぐ）ようにＬ字アングル４１の各アングル片４１ａ，４１ａがそれぞれ挿入されている。このＬ字アングル４１を挿入することで、両枠体８，８は接合部８１でずれること無く安定して接合できるため、太陽電池パネル７の端部と各枠体８，８の嵌合部３０との嵌合接着を容易に行うことができる。
【００５６】
このＬ字アングル４１は、図１２に示すように、本体部２０の断面形状と同様、断面矩形状に形成されている。ただし、重量軽減のため内部は格子状となっている。また、がたつきを防止するため、本体部２０の内部空間２０ａをほぼ塞ぐ形状となっている。そのため、両枠体８，８の接合部８１では、特に太陽電池パネル７側の上部空間において、空気の流れが悪い構造となっている。
【００５７】
従って、実施形態４に係る枠体８のように、下壁部３１の奥壁部３３側の縁部に、奥壁部３３の背面側に沿って上方に突出した凹溝部３１ｂを設けることで、この部分を通じて両枠体８，８の両本体部２０，２０間を空気が移動可能となる。さらに、実施の形態４では、下壁部３１に下方に凹んだ溜まり凹部３１ａを設けることで、この溜まり凹部３１ａより先端縁部側の下壁部３１の下面とＬ字アングル４１との間にも隙間Ｓｂ（図１３参照）ができる。これにより、この隙間Ｓｂを通じても、両本体部２０，２０間を空気が移動可能となる。
【００５８】
従って、実施形態４に係る太陽電池モジュール５によれば、両枠体８，８の接合部８１において、本体部２０の内部空間、特に嵌合部３０側の内部空間の空気の流れを確保することができ、この部分の換気（空気循環）を促進することができる。
【００５９】
＜太陽電池モジュールの実施形態５＞
図１４及び図１５は、実施形態５に係る太陽電池モジュール５の枠体８に取り付けられるサポート部材５０の構成を示す端面図及び斜視図、図１６は、サポート部材５０を太陽電池モジュール５の裏面側に取り付ける状態を示す斜視図、図１７は、サポート部材５０を太陽電池モジュール５の裏面側に取り付ける状態を示す一部拡大して示す斜視図、図１８は、サポート部材５０を太陽電池モジュール５の裏面側に取り付けた状態の断面図である。図１６乃至図１８は、いずれも太陽電池モジュール５の受光面側を下に向けた状態（すなわち、裏面側を上に向けた状態）で図示している。
【００６０】
サポート部材５０は、太陽電池パネル７の裏面側を補強するものであり、４つの枠体８のうち対向する何れか２つの枠体８，８（ここでは、図１６に示すように長辺側の枠体８，８）の間に設けられている。
【００６１】
図１４及び図１５に示すように、サポート部材５０は、例えばアルミニウムまたはアルミニウム合金製の部材であり、押出成形により形成され、長手方向において同じ断面形状を有する長尺部材とされている。
【００６２】
このサポート部材５０は、太陽電池パネル７の裏面側を支持する上側水平板５１、下側水平板５２及び両水平板を支持する垂直支持板５３を主な構成部材としてＨ型に形成されており、下側水平板５２の両端部には、垂直支持板５３から外れた位置にネジを通すためのネジ孔５２ａがそれぞれ１箇所形成されている。両端部の２つのネジ孔５２ａ，５２ａは、垂直支持板５３を介して反対側に設けられている。このネジ孔５２ａは、枠体８の底板部２５に形成された雌ネジ孔２５ａに対応して設けられている。
【００６３】
また、下側水平板５２の下面には、垂直支持板５３との連結部に沿って垂直補強板５４が形成されており、垂直補強板５４の先端部に水平補強板５５が形成されている。すなわち、サポート部材５０には、太陽電池パネル７の重みが垂直支持板５３に集中的にかかるため、この部分に補強用のリブ片として垂直補強板５４と水平補強板５５とをＴ字状に形成することで、サポート部材５０としての強度を確保している。
【００６４】
上側水平板５１の長手方向の長さＬ１は、対向する２つの枠体８，８の底板部２５，２５間の幅Ｗ１より若干短くなるように形成されており、下側水平板５２及び垂直支持板５３の長手方向の長さＬ２は、対向する２つの枠体８，８の底板部２５，２５間の幅Ｗ１より長く、かつ、対向する２つの枠体８，８の内壁部２３，２３間の幅Ｗ２より短くなるように形成されている。
【００６５】
すなわち、主に図１８に示すように、上側水平板５１の長手方向の長さＬ１は、下側水平板５２及び垂直支持板５３の長手方向の長さＬ２に比べ、その両端で枠体８の底板部２５に設けられた切り込み部２５ｂの長さにほぼ対応する長さ分だけ短くなっている。
【００６６】
また、垂直補強板５４及び水平補強板５５の長手方向の長さＬ３は、上側水平板５１の長手方向の長さＬ１より短くなっている。また、水平補強板５５の幅も、上側水平板５１や下側水平板５２の幅に比べて十分小さくなっている。
【００６７】
このような構成のサポート部材５０は、垂直支持板５３の端部５３ａが枠体８の底板部２５に形成された切り込み部２５ｂに挿入された状態で、下側水平板５２の長手方向の端部５２ｂが枠体８の底板部２５の裏面に重ねられる。そして、この状態において、サポート部材５０の下側水平板５２に雄ネジ部材５９を挿通し、底板部２５の雌ネジ孔２５ａに螺合（固定）することで、サポート部材５０が枠体８に接合されるようになっている。
【００６８】
この場合、サポート部材５０は、垂直支持板５３が枠体８の底板部２５に設けられた切り込み部２５ｂに挿入された状態で支持されるため、横方向のがたつきが防止されている。そのため、ネジ固定部は、サポート部材５０の各端部に１箇所のみでも、十分に強度が確保されている。
【００６９】
なお、実施形態１では、オプション部材として雪止め具６を例示しているが、オプション部材はこれに限定されるものではない。例えば、太陽電池モジュール５を屋根や架台に設置するときの固定具のようなものも、本発明に係るオプション部材として例示することができる。また、このような雪止め具や固定具以外にも、太陽電池モジュールの枠体を利用して取り付けることのできる部材は全て本発明に係るオプション部材である。
【００７０】
また、本発明では、太陽電池パネルの縁部と枠部材の嵌合部とが接着部材によって接着固定された構造の太陽電池モジュールを前提としているが、太陽電池モジュールの構成は必ずしもこのような構成のみに限定されるものではない。すなわち、太陽電池パネルの縁部と枠部材の嵌合部との間に止水用のゴム部材を介挿する構造の太陽電池モジュールであっても、本発明の構成を適用することが可能である。
【００７１】
本発明は、その精神または主要な特徴から逸脱することなく、他のいろいろな形で実施することができる。そのため、上述の実施形態はあらゆる点で単なる例示にすぎず、限定的に解釈してはならない。本発明の範囲は請求の範囲に示すものであって、明細書本文には、なんら拘束されない。さらに、請求の範囲の均等範囲に属する変形や変更は、全て本発明の範囲内のものである。
【符号の説明】
【００７２】
１  太陽光発電システム
２  屋根
３  縦桟
４  横桟
５  太陽電池モジュール
６  雪止め具（オプション部材の一例）
６ａ  壁部
６ｃ  第１主板部
６ｅ  第２主板部
６ｋ  爪部
６ｍ  係合凹所
６ｇ  第３主板部
６ｉ  係合部
６ｎ  切欠き部
６ｐ  スリット部
７  太陽電池パネル
７ａ  表面
７ｂ  下面
７ｃ  端面
８  枠体（枠部材）
９  接着部材
２０  嵌合部
２０ａ  内部空間
２０ｂ  リブ片
２１  底壁部
２２  上壁部
２３  内壁部
２４  外壁部
２５  底板部
２５ａ  雌ネジ孔
２５ｂ  切り込み部
３０  本体部
３１  下壁部
３１ａ  溜まり凹部
３１ｂ  凹溝部
３２  上壁部
３２ａ  下面
３３  奥壁部
３４  挿入溝
３５  係止リブ片
３６  係止突起部
３７  突起部
３７ａ  先端縁部側の面（傾斜面）
４１  Ｌ字アングル
４１ａ  アングル片
５０  サポート部材
５１  上側水平板
５２  下側水平板
５２ａ  ネジ孔
５３  垂直支持板
５４  垂直補強板
５５  水平補強板
５９  雄ネジ部材
８１  接合部
Ｓ  隙間（支持溝部）
Ｓｂ  隙間
【図１】
0006422832.tif 000002
【図２】
0006422832.tif 000003
【図３】
0006422832.tif 000004
【図４】
0006422832.tif 000005
【図５】
0006422832.tif 000006
【図６Ａ】
0006422832.tif 000007
【図６Ｂ】
0006422832.tif 000008
【図６Ｃ】
0006422832.tif 000009
【図７】
0006422832.tif 000010
【図８】
0006422832.tif 000011
【図９】
0006422832.tif 000012
【図１０】
0006422832.tif 000013
【図１１】
0006422832.tif 000014
【図１２】
0006422832.tif 000015
【図１３】
0006422832.tif 000016
【図１４】
0006422832.tif 000017
【図１５】
0006422832.tif 000018
【図１６】
0006422832.tif 000019
【図１７】
0006422832.tif 000020
【図１８】
0006422832.tif 000021